【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
会員を認証する手段を有するセンターサーバと、第１の情報サービスを運用する情報サービスサーバと、利用者端末とを通信ネットワークで接続してなる情報サービスシステムにおける前記センターサーバであって、
前記利用者端末から前記会員の前記第１の情報サービスへの入会申請を受信した前記情報サービスサーバから依頼を受けて、前記会員の認証を行い、その結果を前記情報サービスサーバに送信し、
前記情報システムサーバから送信されたサービス認証情報を前記会員対応に記憶し、
前記利用者端末から前記会員の前記第１の情報サービスに対する利用要求があった場合に、
前記会員対応に記憶している前記サービス認証情報を前記情報サービスサーバに送信して、前記第１の情報サービスを前記利用者端末に利用させることを特徴とするセンターサーバ。
【請求項２】
前記会員対応に前記第１の情報サービスにアクセス可能なホームページを記憶し、
前記会員の前記認証後、該ホームページの識別情報を前記利用者端末に送信し、
前記利用者端末からの前記会員の前記第１の情報サービスの利用要求を、前記ホームページから受け付けることを特徴とする請求項１に記載のセンターサーバ。
【請求項３】
第２の情報サービスを提供し、前記ホームページは前記第１の情報サービスと前記第２の情報サービスの双方にアクセス可能なホームページであることを特徴とする請求項２記載のセンターサーバ。
【請求項４】
前記第１の情報サービスと前記第２の情報サービスとから前記会員が選択した少なくとも１つの情報サービスに係る情報をサービス利用情報として記憶し、
前記サービス利用情報により示される情報サービスにアクセス可能な前記ホームページを自動作成し、記憶することを特徴とする請求項３に記載のセンターサーバ。
【請求項５】
前記利用者端末からから前記サービス利用情報に関する設定変更の要求があった場合に、当該設定変更の要求に応じて、記憶された前記サービス利用情報を更新することを特徴とする請求項４に記載のセンターサーバ。
【請求項６】
会員を認証する手段を有するセンターサーバと、第１の情報サービスを運用する情報サービスサーバと、利用者端末とを通信ネットワークで接続してなる情報サービスシステムにおける前記情報システムサーバであって、
前記利用者端末から前記会員の前記第１の情報サービスへの入会申請を受信して、前記センターサーバに前記会員の認証を依頼し、認証後、サービス認証情報を生成・保管するとともに前記センターサーバに送信し、
前記利用者端末から前記会員の前記第１の情報サービスの利用要求を受信した前記センターサーバから送信された認証情報と、保管しておいた前記サービス認証情報とが一致すれば、前記利用者端末に前記第１の情報サービスの利用をさせることを特徴とする情報システムサーバ。
【請求項７】
請求項１乃至５のいずれかに記載のセンターサーバと、少なくとも一つの請求項６に記載の情報サービスサーバと、利用者端末とを通信ネットワークで接続してなる情報サービスシステム。
【請求項８】
会員を認証する手段を有するセンターサーバと、第１の情報サービスを運用する情報サービスサーバと、利用者端末とを通信ネットワークで接続してなる情報サービスシステムにおける前記センターサーバが、
前記利用者端末から前記会員の前記第１の情報サービスへの入会申請を受信した前記情報サービスサーバから依頼を受けて、前記会員の認証を行い、その結果を前記情報サービスサーバに送信し、
前記情報システムサーバから送信されたサービス認証情報を前記会員対応に記憶し、
前記利用者端末から前記会員の前記第１の情報サービスに対する利用要求があった場合に、
前記会員対応に記憶している前記サービス認証情報を前記情報サービスサーバに送信して、前記第１の情報サービスを前記利用者端末に利用させることを特徴とする情報サービス方法。
【請求項９】
前記センターサーバが、
前記会員対応に前記第１の情報サービスにアクセス可能なホームページを記憶し、
前記会員の前記認証後、該ホームページの識別情報を前記利用者端末に送信し、
前記利用者端末からの前記会員の前記第１の情報サービスの利用要求を、前記ホームページから受け付けることを特徴とする請求項８に記載の情報サービス方法。
【請求項１０】
前記センターサーバが、
第２の情報サービスを提供し、前記ホームページは前記第１の情報サービスと前記第２の情報サービスの双方にアクセス可能なホームページであることを特徴とする請求項９記載の情報サービス方法。
【請求項１１】
前記センターサーバが、
前記第１の情報サービスと前記第２の情報サービスとから前記会員が選択した少なくとも１つの情報サービスに係る情報をサービス利用情報として記憶し、
前記サービス利用情報により示される情報サービスにアクセス可能な前記ホームページを自動作成し、記憶することを特徴とする請求項１０に記載の情報サービス方法。
【請求項１２】
前記センターサーバが、
前記利用者端末からから前記サービス利用情報に関する設定変更の要求があった場合に、当該設定変更の要求に応じて、記憶された前記サービス利用情報を更新することを特徴とする請求項１１に記載の情報サービス方法。
【請求項１３】
会員を認証する手段を有するセンターサーバと、第１の情報サービスを運用する情報サービスサーバと、利用者端末とを通信ネットワークで接続してなる情報サービスシステムにおける前記情報システムサーバが、
前記利用者端末から前記会員の前記第１の情報サービスへの入会申請を受信して、前記センターサーバに前記会員の認証を依頼し、認証後、サービス認証情報を生成・保管するとともに前記センターサーバに送信し、
前記利用者端末から前記会員の前記第１の情報サービスの利用要求を受信した前記センターサーバから送信された認証情報と、保管しておいた前記サービス認証情報とが一致すれば、前記利用者端末に前記第１の情報サービスの利用をさせることを特徴とする情報サービス方法。
【請求項１４】
会員を認証する手段を有するセンターサーバと、第１の情報サービスを運用する情報サービスサーバと、利用者端末とを通信ネットワークで接続してなる情報サービスシステムにおける前記センターサーバに、
前記利用者端末から前記会員の前記第１の情報サービスへの入会申請を受信した前記情報サービスサーバから依頼を受けて、前記会員の認証を行わせ、その結果を前記情報サービスサーバに送信させ、
前記情報システムサーバから送信されたサービス認証情報を前記会員対応に記憶させ、
前記利用者端末から前記会員の前記第１の情報サービスに対する利用要求があった場合に、
前記会員対応に記憶している前記サービス認証情報を前記情報サービスサーバに送信させ、前記第１の情報サービスを前記利用者端末に利用させるためのプログラムを記録したことを特徴とするコンピュータ読み取り可能な記録媒体。
【請求項１５】
前記センターサーバに、さらに、
前記会員対応に前記第１の情報サービスにアクセス可能なホームページを記憶させ、
前記会員の前記認証後、該ホームページの識別情報を前記利用者端末に送信させ、
前記利用者端末からの前記会員の前記第１の情報サービスの利用要求を、前記ホームページから受け付けさせるためのプログラムを記録したことを特徴とする請求項１４に記載のコンピュータ読み取り可能な記録媒体。
【請求項１６】
前記センターサーバに、さらに
第２の情報サービスを提供させ、前記ホームページは前記第１の情報サービスと前記第２の情報サービスの双方にアクセス可能なホームページを記憶させるためのプログラムを記録したことを特徴とする請求項１５に記載のコンピュータ読み取り可能な記録媒体。。
【請求項１７】
前記センターサーバに、さらに、
前記第１の情報サービスと前記第２の情報サービスとから前記会員が選択した少なくとも１つの情報サービスに係る情報をサービス利用情報として記憶させ、
前記サービス利用情報により示される情報サービスにアクセス可能な前記ホームページを自動作成させ、記憶させるためのプログラムを記録したことを特徴とする請求項１６に記載のコンピュータ読み取り可能な記録媒体。
【請求項１８】
前記センターサーバに、さらに、
前記利用者端末からから前記サービス利用情報に関する設定変更の要求があった場合に、当該設定変更の要求に応じて、記憶された前記サービス利用情報を更新させるためのプログラムを記録したことを特徴とする請求項１７に記載のコンピュータ読み取り可能な記録媒体。
【請求項１９】
会員を認証する手段を有するセンターサーバと、第１の情報サービスを運用する情報サービスサーバと、利用者端末とを通信ネットワークで接続してなる情報サービスシステムにおける前記情報システムサーバに、
前記利用者端末から前記会員の前記第１の情報サービスへの入会申請を受信して、前記センターサーバに前記会員の認証を依頼させ、認証後、サービス認証情報を生成・保管させるとともに前記センターサーバに送信させ、
前記利用者端末から前記会員の前記第１の情報サービスの利用要求を受信した前記センターサーバから送信された認証情報と、保管しておいた前記サービス認証情報とが一致すれば、前記利用者端末に前記第１の情報サービスの利用をさせるためのプログラムを記録したことを特徴とするコンピュータ読み取り可能な記録媒体。